(57)【要約】【課題】高価である従前の異臭吸着剤に代わる、安価で効果のある異臭発生を抑止する方途を提供する。【解決手段】シートの少なくとも片面に、ごみ固形燃料を乾留そして粉砕して得られる、径が５０μｍ　以下の炭化物をコーティングする。【選択図】　　　　なし【特許請求の範囲】
【請求項１】
シートの少なくとも片面に、ごみ固形燃料を乾留そして粉砕して得られる、径が５０μｍ　以下の炭化物をコーティングして成ることを特徴とする異臭吸収体。
【請求項２】
請求項１において、炭化物のコーティングを別のシートで覆って炭化物を２枚のシート間に封入して成ることを特徴とする異臭吸収体。
【請求項３】
吸収体を内部に配置した衛生用品において、吸収体の背面シートの面に、ごみ固形燃料を乾留そして粉砕して得られる、径が５０μｍ　以下の炭化物をコーティングして成ることを特徴とする衛生用品。
【請求項４】
吸収体を内部に配置した衛生用品において、吸収体の表面シートおよび背面シートの各面に、ごみ固形燃料を乾留そして粉砕して得られる、径が５０μｍ　以下の炭化物をコーティングして成ることを特徴とする衛生用品。
【請求項５】
液を透過する表面シートと液及び空気を透過しない背面シートとの間に吸収体を配置した衛生用品において、吸収体の表面シート面に、ごみ固形燃料を乾留そして粉砕して得られる、径が５０μｍ　以下の炭化物をコーティングして成ることを特徴とする衛生用品。
【請求項６】
炭化物のコーティングは、シート面における炭化物の含侵処理によるものであることを特徴とする請求項３，４または５に記載の衛生用品。
【請求項７】
炭化物のコーティングは、水溶性コーティング剤を用いて炭化物をシート面に添着したものであることを特徴とする請求項３，４または５に記載の衛生用品。
【発明の詳細な説明】
【０００１】
【発明の属する技術分野】
本発明は、主として病人、身体障害者、寝たきり老人等に使用する紙おむつや生理用品、さらには犬や猫などのペットの排泄物用シーツに代表される、衛生用品に好適な異臭吸収体と、当該衛生用品に関するものである。
【０００２】
【従来の技術】
従来、いわゆる紙おむつ等の衛生用品としては、特開平７−１１６１８８号公報等に開示されるように、高分子吸収体を点在させたもの等を長方形の平面的な形状に形成し、この上にエンボス加工を施した吸収紙を載置し、裏面には防水シートを重合したものを不繊布で包被し、吸収紙のエンボス加工の窪みより、水分を含有する排泄物を下層へと導いて、排泄物を吸収させようとしたものが、一般的に知られている。
【０００３】
すなわち、この種のおむつは、排泄物や尿などが外に漏れない様な構造を採っており、使い捨てが可能で便利であるが、その使用後に、これら衛生用品から漏れ出る異臭に対しての某かの方策が求められている。これは、ペットの排泄物を受けるシーツなどのペット用品から発生する異臭についても、同様である。
【０００４】
上記問題の解決のために、特開平７−１４８２３３号公報では、紙おむつから発生する人尿による悪臭の除去に有効な液体消臭剤に関する提案がなされている。従来、トイレや下駄籍、冷蔵庫などの消臭剤については、既に各種のものが市販されているが、紙おむつ等から発生する人尿による悪臭の除去のための有効な消臭剤は提供されていない。また、芳香剤を用いてマスキング消臭する方法もあるが、マスキング消臭は悪臭成分を分解除去するものではなく、根本的な解決法とはいえない。そこで、フラボノイド含有の木材抽出物による消臭作用と香料による芳香作用とにより、良好な消臭効果が得られる液体消臭剤が使用されている。この液体消臭剤としては、フラボノイド含有の木材抽出物０．１〜５．０重量％と、香料０．２〜２．０重畳％と、界面活性剤１．０〜１０．０重量％とを含む水溶液が提案されており、使用済の紙おむつにスプレーしたり、使用済紙おむつの保管容器内に随時散布して消臭することが記載されている。
【０００５】
さらに、特開平９−２９９４６４号公報では、衛生用品に好適な異臭抑制用の組成物に関する提案があり、β−サイクロデキストリン包接香料と吸着性粉体とを含有する組成物は異臭を吸着しマスキングする作用に優れること、及びこの様な組成物を紙おむつなどの衝生用品やペット用品に用いると、これらに起因する異臭の発生が防げるとしている。ここで用いられる吸着性粉体としては、活性炭、カオリン、無水瑳酸、酸化亜鉛、ベントナイト等が例示され、中でも、無水珪酸と活性炭が取り分け好ましいとされており、無水珪酸や活性炭の吸着性粉体は、異臭成分や異臭発生の原因となる成分を気化しないように保持する作用を有すると説明されている。
【０００６】
【発明が解決しようとする課題】
前記した特開平７−１４８２３３号公報では、異臭の吸着のためにフラボノイド含有の木材抽出物が用いられており、また特開平９−２９９４６４号公報では、芳香剤と異臭吸着のための無水珪酸あるいは活性炭が用いられている。これら抽出物、無水珪酸あるいは活性炭は、異臭を吸着する効果を発揮するが、一方で高価であることが問題であった。すなわち、使い捨てが可能で便利である、紙おむつなどの衛生用品において、その使用材が高価であることは、致命的な問題である。
従って、高価である従前の異臭吸着剤に代わる、安価で効果のある異臭発生を抑止する方途が、衛生用品において求められていたのである。
【０００７】
【課題を解決するための手段】
この発明は、前記の課題を解決するものであり、特に一般ごみや家庭ごみ等から製造されるごみ固形燃料の炭化物に着目した。すなわち、ごみの破砕、乾燥および成形を経て所定形状に加工された、ごみ固形燃料を５００℃以上かつ酸素濃度１％以下の雰囲気にて乾留して得られた炭化物は、活性炭に近い性能を有していることを利用して、この発明を完成するに到った。
【０００８】
この発明の要旨構成は、次のとおりである。
（１）シートの少なくとも片面に、ごみ固形燃料を乾留そして粉砕して得られる、径が５０μｍ　以下の炭化物をコーティングして成ることを特徴とする異臭吸収体。
【０００９】
（２）上記（１）において、炭化物のコーティングを別のシートで覆って炭化物を２枚のシート間に封入して成ることを特徴とする異臭吸収体。
【００１０】
（３）吸収体を内部に配置した衛生用品において、吸収体の背面シートの面に、ごみ固形燃料を乾留そして粉砕して得られる、径が５０μｍ　以下の炭化物をコーティングして成ることを特徴とする衛生用品。
【００１１】
（４）吸収体を内部に配置した衛生用品において、吸収体の表面シートおよび背面シートの各面に、ごみ固形燃料を乾留そして粉砕して得られる、径が５０μｍ　以下の炭化物をコーティングして成ることを特徴とする衛生用品。
【００１２】
（５）　液を透過する表面シートと液及び空気を透過しない背面シートとの間に吸収体を配置した衛生用品において、吸収体の表面シート面に、ごみ固形燃料を乾留そして粉砕して得られる、径が５０μｍ　以下の炭化物をコーティングして成ることを特徴とする衛生用品。
【００１３】
（６）炭化物のコーティングは、シート面における炭化物の含侵処理によるものであることを特徴とする上記（３），（４）または（５）に記載の衛生用品。
【００１４】
（７）炭化物のコーティングは、水溶性コーティング剤を用いて炭化物をシート面に添着したものであることを特徴とする上記（３），（４）または（５）に記載の衛生用品。
【００１５】
【発明の実施の形態】
次に、この発明の異臭吸収体について、衛生用品である紙おむつに適用した場合を例に、詳しく説明する。
すなわち、図１に示す紙おむつ１は、図２に断面構造を示すように、液を透過する表面シート２と液を透過しない背面シート３との間に、尿や体液などの液体の吸収体４を配置し、表面シート２と背面シート３との周囲を融着あるいは接着等により接合し、両者間に吸収体４を密封したものである。また、両シートの周縁部分には、おむつ装着面（人体の場合の太股や腰など）と馴染みやすい様にギャザー加工（折り込み加工）５が施されている。さらに、両端側には、マジックテープ（登録商標）などの固定手段６を設けている。
【００１６】
また、紙おむつ１の表面シート２は、肌と接触する部位であるため、不織布で包装してもよい。いずれにしろ、衛生用品として内部に吸収体４を内蔵する紙おむつ１において、吸収体４の少なくとも背面シート３側に、この発明の異臭吸収体である、ごみ固形燃料を乾留そして粉砕して得られる径が５０μｍ　以下の炭化物をコーティングした異臭吸収シート７を配置することが肝要である。
【００１７】
すなわち、紙おむつの使用中は、その吸収体４にて主に尿を捕捉、吸収して外部に漏れ出すのを防止し、使用後は紙おむつを丸めて廃棄するのが一般的である。使用後の紙おむつは、通常肌と接している面を内側にして丸められるため、上記のように、吸収体４の少なくとも背面シート３側に異臭吸収シート７を配置しておけば、吸収体４の外側に異臭吸収シート７が存在し、吸収体４を異臭吸収シート７が包み込む構造が実現するため、吸収体４から発生する異臭を吸着して、異臭が紙おむつから漏れ出るのを未然に防ぐことができる。
【００１８】
また、尿の他、排便があっても、丸められ、かつ異臭吸収シート７にて覆われた内部に格納されるため、異臭吸収シート７による臭いの吸着が可能である。
なお、この炭化物をコーティングしたシート７において、コーティングする炭化物の量が多ければ、それだけ異臭の吸着作用は増加する。
【００１９】
以上の図１および２に示す例では、紙おむつ１の内部に封入される吸収体４の背面シート３側に、異臭吸収シート７を配置したが、さらに図３に示すように、吸収体４の表面シート２側にも配置することによって、異臭の抑制をより強化することができる。
すなわち、異臭吸収シート７を吸収体４の表面シート２側に配置する場合は、吸収体４で捕捉された尿を、異臭吸収シート７ではさみ込む形となり、より異臭抑制効果が強化される。
【００２０】
また、この発明の異臭吸収体について、衛生用品であるペット用シーツに適用した場合を例に、詳しく説明する。
すなわち、図３に示すペット用シーツ８は、飼育容器の敷物として使用されるものであり、通常は一般的な飼育容器形状である四角形とされる。この場合も、液を透過する表面シート９と液を透過しない背面シート１０との間に、尿や体液などの液体の吸収体４を配置し、表面シート９と背面シート１０との周囲を融着あるいは接着等により接合し、両者間に吸収体４を密封したものである。
【００２１】
ここで、人間用の衛生用品と異なる部分は、ペット用シーツ８は通気性をあまり重んじておらず、背面シート１０は空気も通過させない材質または構造が採用されている。一方、表面シート９は、紙おむつのように不織布も使用されるが、紙、化繊など破れなく内部の物が出てこない構造となっている。
【００２２】
かような構造のペット用シート９において、その吸収体４の表面シート９側に、この発明の異臭吸収体である、ごみ固形燃料を乾留そして粉砕して得られる径が５０μｍ　以下の炭化物をコーティングした異臭吸収シート７を配置する。すなわち、ペット用シート９においては、背面シート１０が気体をも透過しない構造であるため、異臭の漏れは表面シート９側からとなる。そこで、この表面側に炭化物をコーティングした異臭吸収シート７を配置すれば、該シート７にて発生する異臭を未然に吸着することができ、異臭の漏洩は防止される。
【００２３】
なお、上記した例では、炭化物をコーティングした異臭吸収シート７を各１枚配置した構造を示しているが、複数枚を積層して配置することもできる。より多く使用することにより、異臭吸着効果はより大きくなる。
ここで、コーティングする炭化物の粒径を５０μｍ　以下としたのは、比表面積（ｍ３／ｇ）を上昇させ、異臭吸収機能を上げるためであり、より好ましくは２０μｍ以下の細粒とする。なお、細粒化する程、製造コストが上昇するため、この細粒化は経済的なかね合いで行えば良い。
【００２４】
また、炭化物をコーティングするシートとしては、紙おむつ、ペット用シートでは紙シートを用いることができ、さらに使用目的に応じ、紙シートに化繊を混入し補強したもの、あるいは、無機繊維などを用いることができ、シート材質を問わず使用することができる。
【００２５】
以下に、コーティング処理に用いる炭化物の製造方法について説明する。
まず、以下の各工程を通して、ごみから固形燃料を製造する。
（１）破袋及び異物除去工程
生活ごみや都市ごみを収容した袋を破り、取り出したごみから、大きな鉄や石の塊を検出して除去する。
（２）乾燥工程
磁気選別機や風力選別機において、濡れた新聞紙が異物の上にあると、充分な分別ができないため、ごみの水分が２０％以下になるように乾燥する。
（３）磁気選別
乾燥したごみを磁気選別機にかけて、磁性のある鉄を除去する。
【００２６】
（４）１次風力選別
風力選別を効率よく行うには、風の通る断面にいかにごみを均一に分散させるかにかかっている。従って、１次風力選別機の風に回転羽根式などの分配機を設けて、風力選別機からの風を、スリットを介して均一に分散させるようにする。これで可燃物の約９４％は分別可能となる。
（５）２次風力選別
１次風力選別工程で粗く可燃物を分離したあとの「不燃物側のごみ」の中には、まだ可燃物が混在している。これは、数ｔ／ｈと処理量が多くなると、風力選別機の風速がごみにさえぎられて低下すること、果物や野菜は、比較的重くて風力選別機で飛ばすには風速１５ｍ／ｓ以上の強い風が必要なためである。これに対し、より大きな断面の大型風力選別機は、コスト的にもスペース的にも割高となる。実際的には、この「不燃物側のごみ」は、もとの約６％に減少しているため、この処理量に見合った２次風力選別機を設置する方が、設備も簡単ですむことになる。この２次風力選別機に「不燃物側のごみ」を通過させて風速を１５ｍ／ｓ以上にあげると、真の異物の混合割合に近い０．４％〜０．６％程度に異物を減少させることが可能であった。
【００２７】
（６）軽い非磁性金属片の分離
アルミ缶やアルミ箔を内張りしたスナック菓子袋などは、磁性を帯びず、軽いために、これまでのいずれの分別機でも分別できない。一方、これらのアルミニウムは、量が多いと、流動床ボイラー等では、燃焼時に気化して煙道に蒸着して煙道を閉塞させることがあり、除去することが望ましい。そこで、円形磁石を高速回転させる回転磁石式選別機を最後に用いて、これらのアルミニウムに渦電流を発生させ、磁界変化によりコリオリの力で吹き飛ばす装置を設置する。これにより全ての異物を可燃物から分別することができる。
【００２８】
（７）ごみ固形燃料の炭化物製造
以上の工程を経て得られた可燃物を粉砕してから、その粉砕粉を所定の敬称に成形して、ごみ固形燃料が得られる。このごみ固形燃料を、５００℃以上および酸素濃度１％以下の条件にて、炭化炉で乾留すれば、炭化物を得ることができる。かくして得られた炭化物は、比表面積が６０〜１２０ｍ２／ｇと、吸着背能に優れた炭素質粉末となる。
【００２９】
かように製造した炭化物を用いるもので、この活性炭に近いごみ固形燃料由来の炭化物を５０μｍ　以下の微粉として使用することにより、炭化物の持つ吸着面を有効に活用して異臭吸着面を形成することができ、活性炭に若干劣る吸着性能を補うことができる。また、吸収体の背面、あるいは吸収体を挟むように、当該炭化物をコーティングしたシートが配置されるため、尿などを吸収した水分吸着体から生じる臭気の漏れを阻止して異臭の発生を防止できる。
【００３０】
なお、炭化物を５０μｍ　以下の微粉に粉砕する際、より微粒にすることが有利であり、コストとの兼ね合いを考慮した上で、２０μｍ　以下、より好ましくは１０μｍ　以下として使用する。
【００３１】
また、炭化物のコーティングは、シート面に炭化物微粉を含侵処理する等、シートの通気性を確保したコーティング処理を行うことが好ましく、この通気性維持により、蒸れ発生などを阻止できるようにする。
あるいは、水溶性コーティング剤を用いて炭化物微粉をシート面に添着し、添着した炭化物によって異臭吸着を行うことも推奨される。すなわち、使用するまではシート面に添着しておき、炭化物がほぼ均一に維持（保持）できていれば良いもので、尿などと接触してシート面から剥がれても、剥がれた状態で異臭吸着を行うことができるため、本発明では含浸あるいは添着で保持するようにしたものである。単に炭化物をシート間に位置させるだけでは、炭化物はシート内を移動することになり、偏在などが生じた時は、異臭吸着に偏りを生じることになる。
【００３２】
なお、図１〜図７で示した紙おむつ、ペット用シートにおいては、使用後の容器への保管、あるいは袋への収納時、異臭が周囲に漏れることなく、異臭吸着が効果的に行われていた。
【００３３】
以上は衛生用品として、紙おむつ、ペット用シートを例にとって説明したが、請求項１または２に従う構成のシートでは、下駄箱の靴の下敷用シートとして、あるいは押し入れの下敷シートなどにも利用することができる。
【００３４】
【発明の効果】
この発明では、ごみ固形燃料を乾留して得られる炭化物を５０μｍ　以下に粉砕し、衛生用品を形成するシート面にコーティングして異臭吸収体としているため、この異臭吸収機能を備える衛生用品を安価に提供できる。
【図面の簡単な説明】
【図１】紙おむつを示す図である。
【図２】図１のＩＩ−ＩＩ線に沿う断面図である。
【図３】別の紙おむつ構造を示す断面図である。
【図４】ペット用シーツを示す図である。
【図５】図４のＶ−Ｖ線に沿う断面図である。
【符号の説明】
１　紙おむつ
２　表面シート
３　背面シート
４　吸収体
７　異臭吸収シート
８　ペット用シーツ
９　表面シート
１０　背面シート
【図１】
2004057721.tif 000002
【図２】
2004057721.tif 000003
【図３】
2004057721.tif 000004
【図４】
2004057721.tif 000005
【図５】
2004057721.tif 000006